(57)【要約】【課題】音楽の演奏において、リーダーのテンポで曲目の進行状況に応じて目で追える楽譜を提供することで、よりスムーズで安定した演奏ができる電子楽譜を提供する。【解決手段】従来の楽譜は相手の演奏を耳で聞き取り、自分のパートを目で追って、複数の楽譜では、紙面をめくりながらの演奏をする為、演奏時の集中力をそがれる場面があり、その解決手段として、演奏時に自分の演奏に集中できるような電子楽譜を発明した。また、演奏時のテンポ合わせ、及び、演奏時間設定も可能にしたことで、安定した演奏ができる電子楽譜を発明した。【選択図】  図１
2004240379.tif 000002
【特許請求の範囲】
【請求項１】
音楽演奏の楽譜において、液晶表示機等の薄型表示機を使用し、記憶処理装置にＩＣメモリー、コンパクトディスク等の記憶素子を使用し、あらかじめ楽譜を記憶させ、演奏リーダーの演奏テンポをマイクロホン等の検知装置で検知し、それを記憶処理装置で処理し、楽譜表示機に表示させることを特徴とする電子楽譜。
【請求項２】
電子楽譜の初頭に、一小節程度のスタートを合わせる為の余白を設け、演奏リーダーが演奏テンポに合わせ、スタートスイッチを１／４拍子、１／８拍子等のテンポで選択ボタンを押すと、演奏者全員の表示機に選択されたテンポが、表示色の変化で予め決められた回数だけ表示され、全員の楽譜スタートを合わせるとともに、そのテンポで楽譜の表示を開始する。又、演奏リーダーの演奏テンポを抽出した信号で、演奏テンポを自動的に補正し、楽譜に表示を行う事を特徴とする電子楽譜。
【請求項３】
指揮者をカメラでとらえ、その映像を電子楽譜に表示すると同時に、指揮者のタクトの動きを画像分析し、曲のテンポとして抽出し、そのテンポで動作させることを特徴とする電子楽譜。
【請求項４】
音の長さをその曲の最小音符、３２分音符、６４分音符等に分割し、色の変化または、色の移動で表示する事を特徴とする電子楽譜。
【請求項５】
演奏曲の演奏時間を１０分とか２０分等に設定すると、相対的にその楽譜の拍子を自動的に調整し、演奏時間を設定時間で終わらせる事を可能とした電子楽譜。
【発明の詳細な説明】
【０００１】
【産業上の利用分野】
本発明は音楽の楽譜を電気信号で記憶させ、記憶処理装置を介し表示機に樂譜を表示させる電子楽譜に関する。
【０００２】
【従来の技術】
音楽の楽譜は、紙に記載された記号で表現されており、音の高低は正確に表現されているが、テンポの指定は、速くとか、ややゆっくりとかの様に曖昧な表現である。このため、複数の人で合奏する場合には、指揮者がテンポを指示する方法をとっている。
【０００３】
又、一人で演奏する場合では、楽譜が何枚にもなるため、ピアノの演奏によくみうけられるように、楽譜をめくる為の人が付く方法がとられている。
【０００４】
【発明が解決しようとする課題】
紙の楽譜や音楽ソフトでパソコン上の楽譜を用いた場合でも、複数の演奏者が、演奏リーダーのテンポに合わせて同時に楽譜を見ることが困難である。
【０００５】
また、尺八の古典曲の楽譜は、横幅が１メートルにもなり、視力の衰えた人は右端から左端までを同じ場所で楽譜を読み取ることが困難であり、また、両手で演奏している為、演奏中に楽譜を移動することも困難である。
【０００６】
【課題を解決するための手段】
そこで、本発明の電子楽譜は、演奏リーダーのテンポに合わせた楽譜を演奏者全員が表示機を介して同時に見られるようにし、また、演奏の進行に応じた楽譜を同じ場所に表示し、楽譜への目線を一定に保つとともに拡大縮小機能付きで提供できるようにした。
【０００７】
【作用】
演奏の進行に合わせた楽譜を自動的に移動するようにしたことで演奏中の楽譜めくりから開放され、また、表示された楽譜を自由に拡大縮小できることで、視力に応じた画面設定ができる。
【０００８】
【発明の実施の形態】
次に、本発明の実施の形態を具体例として、図面を参照して説明する。図１は本発明を実施した演奏リーダーのテンポ抽出から楽譜表示機までの流れを示すブロックダイアグラムであり、図中１は、ワイヤレスマイクロホンで、演奏リーダーの楽器に取り付けてあり、図中３の記憶処理装置とは一体型無線機で接続されており、その記憶処理装置でテンポ抽出をした上で、図中４の表示機へそれぞれワイヤーを通して楽譜データを送り、演奏者個々に分配表示される。
【０００９】
また、演奏リーダーが、指揮者による場合には、図中２のワイヤレスカメラを設置し、指揮者のタクトスタートを画像でとらえ、それを図中３の記憶処理装置に送り、画像分析でテンポ抽出をした上で、楽譜データを図中４の表示機に送る。
【００１０】
ここで、図中３の記憶処理装置が、この発明の重要な役割を占めており、それはワイヤレスマイクロホン及びワイヤレスカメラの電波を受信する受信回路や、予め必要な楽譜と、その曲のテンポ等を記憶させておくメモリー素子や、それらを処理する記憶処理回路、また、楽譜表示機を制御する表示制御回路、及び、テンポ選択スイッチ、楽譜選択スイッチ等の機能スッチが一体化された装置でできている。また、パソコン上で初期条件をプログラム処理できるソフトが組み込まれており、その初期条件及び動作概要を次に述べる。
【００１１】
まず、演奏テンポには４分の１拍子等数種類のテンポがあり、あらかじめ選択ソフトが組み込まれており、それを図中５の機能選択スイッチのテンポ選択スイッチでテンポを選択し、演奏者が図中１のワイヤレスマイクロホンに取り付けた図中６のスタートスイッチを押して演奏を開始すると、その選択されたテンポをもとに、あらかじめ演奏リーダーに取り付けた図中１のワイヤレスマイクロホン、または、図中２のワイヤレスカメラで演奏のテンポを抽出して図中３の記憶処理装置に電波で送る。それを記憶処理装置の受信回路を介して受けたテンポを記憶処理回路が、そのテンポの調整処理をした上で表示制御回路に表示データを送る。その表示データによって表示制御回路が図中４の楽譜表示機１〜Ｎ個にデータを分配し、その楽譜表示機の表示色を演奏曲のテンポに合わせて変化させていき、演奏者に曲の進行状況を目で追えるような電子楽譜にした。
【００１２】
また、楽譜の曲目についても、演奏者が演奏曲目に従った楽譜を組み込みできるソフトで、予め組み込まれた楽譜の中から、図中５の機能選択スイッチの楽譜選択スイッチで楽譜を選択し、その選択された楽譜を図中３の記憶処理装置でテンポ調整し、その楽譜データを図中４の楽譜表示機に送り、選択された楽譜を表示する。
【００１３】
また、演奏時間が限られた時間内に曲目を割り振り設定できる様、１曲あたりの演奏時間設定を図中５の機能選択スイッチの時間設定スイッチで演奏曲個々に選択できるソフトとした。
【００１４】
また、一度演奏を終えた曲目は、そのテンポで保存され、次の演奏時には同じテンポで演奏できるようにした。
【００１５】
楽譜表示機の画面には、拡大縮小機能を設け、演奏者個々に見やすい画面を選択できるようにした。
【００１６】
以上は、この電子楽譜におけるシステム上の詳細説明であり、このシステムに対する特許申請であるのでソフト上の説明は省略する。
【００１７】
【発明の効果】
演奏曲の楽譜を目で追えるようにした事で、演奏者が煩わしい楽譜めくりの負担から開放され、且つ、楽譜表示機に拡大縮小機能を持たせたことで、視力に応じた楽譜を提供できる。また、曲目のテンポ合わせも容易になり、且つ、曲目選択及び演奏時間設定もできるので、スムーズで安定した演奏をこなす事が出来る。
【図面の簡単な説明】
【図１】演奏テンポ抽出から楽譜表示機までの流れを示したシステムブロック図
【符号の説明】
１    テンポ抽出用ワイヤレスマイクロホン
２    テンポ抽出用ワイヤレスカメラ
３    記憶処理装置
４    楽譜表示機
５    機能選択スイッチ
６    スタートスイッチ
【図１】
2004240379.tif 000003